(57)【要約】      （修正有）【課題】飲食品に付随する情報が飲食品の官能特性に与える影響を評価する方法を提供する。【解決手段】飲食品に付随する情報が官能特性に与える影響を評価する方法であって、上記情報を提示することなく被験者が上記飲食品を摂取する前後の第一脳血流変化量と、上記被験者が上記情報の提示後に上記飲食品を摂取する前後の第二脳血流変化量と、の差分に基づいて、上記被験者が感じる官能特性に与える上記情報の影響を評価する評価工程とを含む、方法。【選択図】図１
2019058716.tif 000002
【特許請求の範囲】
【請求項１】
飲食品に付随する情報が官能特性に与える影響を評価する方法であって、
前記情報を提示することなく被験者が前記飲食品を摂取する前後の第一脳血流変化量と、前記被験者が前記情報の提示後に前記飲食品を摂取する前後の第二脳血流変化量と、の差分に基づいて、前記被験者が感じる官能特性に与える前記情報の影響を評価する評価工程とを含む、方法。
【請求項２】
前記官能特性が、知覚及び嗜好性の少なくとも一方である、請求項１に記載の方法。
【請求項３】
前記知覚が、覚醒感、のど越し及び味の濃さからなる群から選ばれる少なくとも１種である、請求項２に記載の方法。
【請求項４】
前記第一脳血流変化量及び前記第二脳血流変化量が、前運動野、前頭眼野、前頭前野背外側部、前頭極、眼窩前頭野、下前頭前野、中側頭回、上側頭回及び下前頭回弁蓋部からなる群から選ばれる１つ以上の領野に含まれる部位において測定されたものである、請求項１〜３のいずれか一項に記載の方法。
【発明の詳細な説明】
【技術分野】
【０００１】
本発明は、飲食品に付随する情報が官能特性に与える影響を評価する方法に関する。
【背景技術】
【０００２】
飲食品に対する人の嗜好性や知覚は、飲食品のブランド、パッケージ、価格情報等の情報に左右されることが知られている（非特許文献１）。
【０００３】
生体内で起きている生理応答、特に脳血流を測定するための方法として、近赤外分光分析法（Ｎｅａｒ−Ｉｎｆｒａｒｅｄ  Ｓｐｅｃｔｒｏｓｃｏｐｙ：ＮＩＲＳ）が開発されている。これは、近赤外光を用いて人体を傷つけることなく安全に生体組織の酸素状態を測定する方法である。脳が活動すると、活動部位の血流量が増加し、組織の酸素状態が変化する。近赤外分光分析法を用いて脳組織の酸素状態の変化を連続的に測定することによって、大脳表面の活動部位を知ることができる。例えば、特許文献１、２には、脳血流量変化の応答強度を利用して、飲食物の嗜好性を評価する方法が開示されている。
【先行技術文献】
【特許文献】
【０００４】
【特許文献１】特開２０１１−１１７８３９号公報
【特許文献２】特開２０１０−５１６１０号公報
【非特許文献】
【０００５】
【非特許文献１】相良泰行、食感性モデルによる「おいしさ」の評価法、日本食品科学工学会誌、第５６巻、第６号、３１７−３２５頁、２００９年６月
【発明の概要】
【発明が解決しようとする課題】
【０００６】
脳血流変化の応答強度を利用した飲食品の評価方法においては、人が感じる嗜好性の評価は試みられているものの、飲食品に付随する情報が人の嗜好性又は知覚に与える影響を定量的に評価する方法は確立されていない。
【０００７】
本発明は、飲食品に付随する情報が飲食品の官能特性に与える影響を評価する方法を提供することを目的とする。
【課題を解決するための手段】
【０００８】
本発明者らは、同一の飲食品を摂取する場合であっても、当該飲食品に付随する情報を認知しているか否かによって、飲食品を摂取する前後の脳血流変化量に差分が生じ得ることを見出した。飲食品摂取前後の脳血流変化量は、摂取によって人が感じる官能特性に応じて異なる値を示すことが分かっている。そこで、摂取前後の脳血流変化量を、飲食品に付随する情報が提示される前後で比較することにより、当該情報が官能特性に与える影響を評価できることを見出した。
【０００９】
本発明は、飲食品に付随する情報が官能特性に与える影響を評価する方法であって、上記情報を提示することなく被験者が上記飲食品を摂取する前後の第一脳血流変化量と、上記被験者が上記情報の提示後に上記飲食品を摂取する前後の第二脳血流変化量との差分に基づいて、上記被験者が感じる官能特性に与える上記情報の影響を評価する評価工程とを含む方法を提供する。
【００１０】
上記方法は、上記情報を提示することなく被験者が上記飲食品を摂取する前後の第一脳血流変化量を測定する、第一測定工程を更に含むことができる。
【００１１】
上記方法は、上記被験者が上記情報の提示後に上記飲食品を摂取する前後の第二脳血流変化量を測定する、第二測定工程を更に含むことができる。
【００１２】
上記評価工程において、上記情報が影響を与える官能特性の種類が、上記差分が表れる脳の部位に基づいて特定されてもよい。
【００１３】
上記方法は、被験者が飲食品を摂取する前後の脳血流変化量と、被験者が感じる官能特性の程度とが相関する脳の部位を特定する特定工程を更に含むことができる。
【００１４】
上記方法において、上記情報がブランドであることが好ましい。
【００１５】
上記方法において、上記脳血流変化量が近赤外分光分析法によって測定されることが好ましい。
【発明の効果】
【００１６】
本発明の方法により、飲食品に付随する情報が飲食品の官能特性に与える影響を評価することができる。
【図面の簡単な説明】
【００１７】
【図１】本実施形態に係る評価方法に用いるチャンネル配置の一例を示す模式図である。
【図２】各分析期間における脳血流変化量と覚醒感との相関を示すチャンネルを表す図である。
【図３】各分析期間における脳血流変化量と覚醒感との相関を示すチャンネルを表す図である。
【図４】各分析期間における脳血流変化量と味の濃さとの相関を示すチャンネルを表す図である。
【図５】各分析期間における脳血流変化量と味の濃さとの相関を示すチャンネルを表す図である。
【図６】各分析期間における脳血流変化量とのど越しとの相関を示すチャンネルを表す図である。
【図７】各分析期間における脳血流変化量とのど越しとの相関を示すチャンネルを表す図である。
【図８】各分析期間における脳血流変化量と嗜好性との相関を示すチャンネルを表す図である。
【図９】各分析期間における脳血流変化量と嗜好性との相関を示すチャンネルを表す図である。
【図１０】第一脳血流変化量及び第二脳血流変化量の間の差分があるチャンネルを表す図である。
【図１１】第一脳血流変化量及び第二脳血流変化量の間の差分があるチャンネルを表す図である。
【図１２】第一脳血流変化量及び第二脳血流変化量の間の差分があるチャンネルを表す図である。
【発明を実施するための形態】
【００１８】
以下に、本発明を更に詳しく説明するが、本発明は以下の実施形態に限られるものではない。
【００１９】
本発明は、飲食品に付随する情報が官能特性に与える影響を評価する方法（以下、単に「評価方法」ともいう。）であって、飲食品に付随する情報を提示することなく被験者が上記飲食品を摂取する前後の第一脳血流変化量と、上記被験者が上記情報の提示後に上記飲食品を摂取する前後の第二脳血流変化量との差分に基づいて、上記被験者が感じる官能特性に与える上記情報の影響を評価する評価工程とを含む。
【００２０】
本実施形態に係る評価方法において、飲食品に付随する情報としては、例えば、商品名、ブランド、企業名、価格、原産地、商品又は商品パッケージの外観、販促物、商品コンセプト、他者の評価情報、希少性等が挙げられるが、これらに限られない。
【００２１】
被験者に情報を提示する手段としては、例えば、情報を見せる、聞かせる等、被験者が当該情報を認知し得る方法であればどのようなものでもよい。
【００２２】
本明細書において、官能特性とは、知覚及び嗜好性を含むものである。知覚とは、飲食品に備わる性質に由来して、飲食品を摂取する際に被験者に生じるものであり、被験者が感じる嗅覚・味覚刺激、食感刺激等である。知覚の具体例としては、覚醒感、のど越し、味の濃さ等が挙げられる。
【００２３】
上記評価方法により、飲食品に付随する情報が官能特性に与える影響の有無を判定することができる。また、複数の飲食品間で比較する場合には、当該影響の大きさを相対的に判定することができる。
【００２４】
飲食品を摂取する前後の脳血流変化量は、被験者が飲食品を摂取する前後にわたって脳血流量の変化を経時的に測定することにより得ることができる。したがって、上記評価方法は、飲食品に付随する情報を提示することなく被験者が上記飲食品を摂取する前後の第一脳血流変化量を測定する、第一測定工程を更に含んでいてもよく、被験者が上記情報の提示後に上記飲食品を摂取する前後の第二脳血流変化量を測定する、第二測定工程を更に含んでいてもよい。
【００２５】
本実施形態の評価方法が第一測定工程及び第二測定工程を含む場合、第一測定工程が第二測定工程より先に行われてもよく、第二測定工程が第一測定工程より先に行われてもよい。第二測定工程が第一測定工程より先に行われる場合には、それぞれの測定工程において被験者に提供する飲食品試料を差し替える等することにより、第一測定工程で提供される飲食品試料と既に提示された情報との関係が被験者に伝わらないようにする。また、第一測定工程は第二測定工程より先に行われることが好ましい。この順に行うことにより、評価の精度を更に高めることができる。
【００２６】
本明細書において脳血流変化量とは、大脳表面付近の血液中のオキシヘモグロビン量を測定することによって測定されるものである。血液中のオキシヘモグロビン量の変化は、例えば、近赤外分光分析法、機能的核磁気共鳴画像法（ｆＭＲＩ）、ポジトロン断層法（ＰＥＴ）等によって測定することができる。血液中のオキシヘモグロビン量の変化は、近赤外分光分析法により測定することが好ましい。近赤外分光分析法としては、機能的近赤外分光分析法（ｆＮＩＲＳ）を用いてもよい。
【００２７】
本実施形態に係る評価方法において用いられる指標は、飲食品を摂取する前後の脳血流変化量であり、具体的には、飲食品を摂取する直前（摂取開始時０秒）の脳血流量を０とした場合の、摂取後の脳血流変化量である。以下、飲食品を摂取する前後の脳血流変化量を、単に脳血流変化量と呼ぶこともある。なお、変化量とは正負を考慮した概念であり、例えば、飲食品摂取後の脳血流量が摂取前に対して０．０１ｍＭ・ｃｍ減少した場合は、脳血流の変化量は「−０．０１ｍＭ・ｃｍ」である。また、例えば第一脳血流変化量が−０．０１ｍＭ・ｃｍであり、第二脳血流変化量が−０．０２ｍＭ・ｃｍであるとき、第二脳血流変化量の第一脳血流変化量に対する差分は−０．０１ｍＭ・ｃｍである。差分がマイナスの値である場合は、第二脳血流変化量の方が、第一脳血流変化量よりも低いことを意味する。逆に差分がプラスの値であれば、高いことを意味する。
【００２８】
以下には、近赤外分光分析法によって、被験者が飲食品を摂取する前後の脳血流変化量を測定する場合を説明する。
【００２９】
近赤外分光分析法装置により脳血流変化量の測定を行うには、被験者の頭表に送光プローブ、及び受光プローブを装着する。送光プローブは被験者の脳内へ近赤外光を照射し、被験者の脳内へ照射された近赤外光は大脳皮質等で反射されて頭表へ戻り、受光プローブによって検出される。脳血流に含まれるオキシヘモグロビンとデオキシヘモグロビンは近赤外波長領域の光に対してそれぞれ異なる吸収スペクトルを有するので、送光プローブから照射された近赤外光は脳血流に含まれるオキシヘモグロビン又はデオキシヘモグロビンによって吸収され、受光プローブによって検出される光量は、上記オキシヘモグロビンとデオキシヘモグロビンの量を反映して減少する。したがって、照射時と検出時の光量変化から、近赤外光が通過した部位の脳血流量やそれに含まれるオキシヘモグロビンとデオキシヘモグロビンの量を推定することができる。上記光量変化を経時的に計測することで、光照射部位の脳血流量やそれに含まれるオキシヘモグロビンとデオキシヘモグロビンの時間的変化を脳活動時系列データとして記録することができる。近赤外分光分析法装置としては、例えば、島津製作所社製のｆＮＩＲＳ計測装置「ＬＡＢＮＩＲＳ」を用いることができる。
【００３０】
本明細書では、送光プローブ及び受光プローブの組み合わせによって、脳血流変化量が実際に測定されるそれぞれの部位をチャンネルと呼び、被験者の頭部に配置された送光プローブと受光プローブの間がチャンネル位置になる。各チャンネルを被験者の頭部の任意の位置に設けて脳血流量を測定することができるが、測定の再現性のために、頭部の一定の位置にチャンネルを設けることが望ましい。
【００３１】
各チャンネルは、国際１０−２０法規格に基づいて配置することができる。図１に示すチャンネル配置は、島津製作所社製のｆＮＩＲＳ計測装置「ＬＡＢＮＩＲＳ」で用いられる前頭測定用のチャンネル配置の一例である。図１に示すチャンネル配置は、チャンネル４７とチャンネル４８の中央が被験者頭部のＦｐｚとなるように合わせ、ＦｐｚからＣｚの方向に向かう正中線上にチャンネル３７、チャンネル１６が位置するように配置されている。図１に示すチャンネル配置では、各チャンネルの間に設置されているプローブが横一列に３ｃｍ間隔で設置され、上下に隣り合う列が３ｃｍ間隔で配置されている。横及び上下に隣り合うプローブは送光プローブと受光プローブとが交互に配置されており、したがって、上下に隣り合うチャンネルの列は各チャンネルが１．５ｃｍずつ横方向にずれるように配置されている。各チャンネルの番号は、測定者が任意に設定可能であり、図１に示すチャンネル配置の番号とは異なっていてもよい。チャンネル番号は、図１に示す番号に設定されることが好ましい。全ての被験者の頭部において一定の位置に取り付けられるよう、プローブは、国際１０−２０法規格に基づいて装着することが好ましい。
【００３２】
本明細書で用いている脳の各領野名は、大脳新皮質の解剖学的区分として一般的に用いられているコルビニアン・ブロードマンの区分（通称、「ブロードマンの脳地図」と呼ばれる。）による。ブロードマンの脳地図では、組織構造が均一である部分をひとまとまりの領域として区分して、１から５２までの番号が振られている。この明細書において脳の領野名は、脳内の解剖学的位置を指すために用いられるものであって、必ずしも各領野で発揮されると考えられている脳の機能と関連付けられるものではない。また、脳の部位を分ける基準は、上記区分に限られず、その他の区分法を用いてもよい。
【００３３】
脳血流量が測定される脳の部位は、被験者の頭部に配置された各チャンネルの位置によって特定することができる。島津製作所社製、ｆＮＩＲＳ計測装置「ＬＡＢＮＩＲＳ」を用いて、図１のとおりに配置されたチャンネルを用いる場合、各チャンネルにより測定される部位と脳の各領野との関係は表１に示すとおりである。領野番号はブロードマンの脳地図による。なお、前頭前野背外側部は、対応する領野番号としてＢＡ９及びＢＡ４６の２つがある。本明細書では、単に前頭前野背外側部と表記するときは、ＢＡ９及びＢＡ４６で表される２つの領野を含み、前頭前野背外側部（ＢＡ９）、前頭前野背外側部（ＢＡ４６）と表記するときは、それぞれの領野番号で表わされる領野を意味する。
【００３４】
【表１】
2019058716.tif 000003
【００３５】
近赤外分光分析用のプローブを装着され、脳血流量の測定可能な状態とされた被験者に、評価対象である飲食品が提供される。被験者が飲食品を摂取する方法としては、官能試験に用いられる任意の方法を適用することができる。近赤外分光分析法においては、飲食品摂取中に被験者が頭部を極力動かさないことが望ましい。複数の飲食品を比較評価する場合には、各飲食品の摂取量及び摂取時間は同程度であることが望ましい。
【００３６】
脳血流変化量を測定する分析期間は、例えば、飲食品を摂取開始後０−６０秒後の間のいずれかの時刻とすることができ、また、上記期間のうち一部の期間の平均値を用いてもよい。例えば、分析期間は、飲食品の摂取開始後８−１８秒の間としてもよく、１８−３３秒の間としてもよい。
【００３７】
各評価方法においては、近赤外分光分析法によって測定された脳血流量のデータについて、被験者の頭の大きさの違いによるバラつきを差し引くための補正処理を行ってもよい。なお、本実施形態に係る各評価方法では、評価対象と脳血流変化量とが十分に対応を示すため、上記補正を行わなくても十分に信頼性のある評価を行うことが可能である。
【００３８】
本実施形態に係る評価方法は、任意の飲食品に対して用いることができる。飲食品は、加工品であってもよく、生鮮品であってもよい。飲食品は、飲料であることが好ましい。飲料は、水、茶、コーヒー、ココア、ジュース、清涼飲料水、アルコール飲料等が挙げられる。本実施形態に知覚評価方法は、特にビールテイスト飲料に適している。
【００３９】
本明細書においてビールテイスト飲料とは、ビール様の香味を有する飲料を意味し、酒税法（昭和二十八年二月二十八日法律第六号）で定義されるビールも含む。ビールテイスト飲料には、アルコール度数が１ｖ／ｖ％未満であるノンアルコールビールテイスト飲料、及びアルコール度数が１ｖ／ｖ％以上であるビールテイストアルコール飲料が含まれる。ノンアルコールビールテイスト飲料には、アルコールを全く含まないアルコール度数０．００ｖ／ｖ％のものも含まれる。ビールテイストアルコール飲料としては、例えば、ビール、発泡酒、その他の醸造酒、発泡酒にスピリッツを添加してなる発泡性アルコール飲料（日本の酒税法で定義されるリキュール類）等が挙げられる。なお、本明細書においてアルコールとは、特に明記しない限り、エタノールのことをいう。
【００４０】
上記評価方法の評価工程においては、提示される情報が影響を与える官能特性の種類が、第一脳血流変化量と第二脳血流変化量との差分が表れる脳の部位に基づいて特定されてもよい。これにより、飲食品に付随するある情報が、どのような官能特性に影響を与えるか、また、その情報がどの程度の影響を与えるかを予測することができる。
【００４１】
例えば情報が飲食品のブランドである場合、情報が影響を与える官能特性の種類及び程度を知ることにより、当該ブランドが消費者にどのようなイメージを持たれているかを調べることもできる。また、例えば、情報が商品パッケージ外観である場合、当該情報が官能特性にどのような影響を与えるか調べることによって、より消費者に好まれるパッケージや、商品イメージに対応するパッケージの開発等に応用することができる。
【００４２】
被験者が感じる官能特性の程度と脳血流変化量とが相関する脳の部位が知られている場合には、これを利用して上記判定を行うことができる。また、被験者が飲食品を摂取する前後の脳血流変化量と、被験者が感じる官能特性の程度とが相関する脳の部位を特定する特定工程を行ってもよい。上記特定工程を行うことにより、任意の官能特性の種類について評価することができる。したがって、上記評価方法は、被験者が飲食品を摂取する前後の脳血流変化量と、被験者が感じる官能特性の程度とが相関する脳の部位を特定する特定工程を更に含んでいてもよい。
【００４３】
被験者が飲食品を摂取する前後の脳血流変化量と、被験者が感じる官能特性の程度とが相関する脳の部位を特定する特定工程は、具体的には例えば、以下の方法により行うことができる。被験者に複数の飲食品を摂取させ、各飲食品の摂取前後の脳血流変化量を測定する。各飲食品の摂取の際には、併せて、被験者にアンケートを行う。アンケートの内容は、摂取した飲食品について、例えば、好ましいと感じるか、リフレッシュすると感じるか等、評価しようとする官能特性に対応する質問とする。そして、アンケートで得られた各官能特性の程度と、摂取前後の脳血流変化量とが相関する脳の部位を特定する。特定工程に用いる飲食品は、本実施形態に係る評価方法で評価しようとする飲食品の同種であることが好ましい。
【００４４】
また、異なる種類の官能特性であっても、局所的には重複する部位で脳血流変化量の差分が観察されることがあり得る。その場合は、例えば、脳血流変化量の差分が表れる部位のパターンを観察することにより、どのような知覚を感じたかを予測することが可能である。
【００４５】
以下には、飲食品の官能特性として、覚醒感、味の濃さ、のど越し及び嗜好性への影響を評価する場合をそれぞれ説明する。
【００４６】
（覚醒感）
本明細書において、覚醒感とは、覚醒したと感じる感覚をいう。覚醒感が強いと、例えば、リフレッシュすると感じたり、爽快感を感じたりし、覚醒感が弱いと、例えば、リラックスすると感じる。
【００４７】
前運動野、眼窩前頭野、下前頭前野、中側頭回及び上側頭回からなる群から選ばれる１つ以上の領野に含まれる部位において、第一脳血流変化量と第二脳血流変化量との差分が検出された場合、提示された情報は飲食品の覚醒感に影響を与えると判定することができる。脳の部位は、上記領野の複数にまたがって含まれる部位であってもよい。
【００４８】
より詳細には、上記領野のいずれかに含まれる部位において、第二脳血流変化量が第一脳血流変化量より高い場合には、提示された情報が飲食品の覚醒感に正の影響を与えると判定することができる。ここでいう正の影響を与えるとは、より覚醒感を強く感じさせることをいう。また、図１に示す配置のチャンネル１、２、３、６、１２、１５、１７、２２、２３、２４、３０、３１、３２、３３、３４、３５、３６、４０、４１、４２、４３、４４、４５、４６、４７、４８、５１及び５２のいずれかにより測定される部位においても、同様に判定することができる。脳の部位は、チャンネル１、２、３、１２、１５、２２、２３、２４、３０、３１、３２、３３、３５、４１、４２、４３、４４、４５、４６、４７、５１及び５２のいずれかにより測定される部位であることが好ましい。
【００４９】
一方、図１に示す配置のチャンネル４、５、１４、１６、１８、１９、２０、２８及び２９のいずれかにより測定される部位において、第二脳血流変化量が第一脳血流変化量より高い場合には、提示された情報が飲食品の覚醒感に負の影響を与えると判定することができる。ここでいう負の影響を与えるとは、より覚醒感を弱く感じさせることをいう。上記部位は、チャンネル５、１６及び２８のいずれかにより測定される部位であることが好ましい。
【００５０】
（味の濃さ）
本実施形態に係る評価方法は、飲食品に付随する情報が官能特性としての飲食品の味の濃さに与える影響を評価することができる。ここでいう味とは、基本五味の味覚に限られるものではなく、例えばコク、香り等によってもたらされる風香味を含む。また、味の濃さとは、飲食品中の調味料成分濃度等によって直接定まるものではなく、被験者が摂取する際に味の濃さとして感じられる知覚を指す。
【００５１】
前運動野、前頭眼野、前頭前野背外側部（ＢＡ４６）及び眼窩前頭野からなる群から選ばれる１つ以上の領野に含まれる部位において、第一脳血流変化量と第二脳血流変化量との差分が検出された場合、提示された情報は飲食品の味の濃さに影響を与えると判定することができる。脳の部位は、上記領野の複数にまたがって含まれる部位であってもよい。
【００５２】
より詳細には、前運動野又は眼窩前頭野に含まれる部位において、第二脳血流変化量が第一脳血流変化量より高い場合には、提示された情報が飲食品の味の濃さに正の影響を与えると判定することができる。ここでいう正の影響を与えるとは、より味が濃いと感じさせることをいう。また、図１に示す配置のチャンネル１、３０、３１、４１、４２、４７、５０、５１及び５２のいずれかにより測定される部位においても、同様に判定することができる。脳の部位は、チャンネル１、３０、４１、４２、４７、５１及び５２のいずれかにより測定される部位であることが好ましい。
【００５３】
一方、前頭眼野又は前頭前野背外側部（ＢＡ４６）に含まれる部位において、第二脳血流変化量が第一脳血流変化量より高い場合には、提示された情報が飲食品の味の濃さに負の影響を与えると判定することができる。ここでいう負の影響を与えるとは、より味が薄いと感じさせることをいう。また、図１に示す配置のチャンネル２、４、５、６、７、８、９、１１、１２、１３、１４、１５、１６、１９、２３、２５、２６、２７、２８、２９、３４、３５、３６、３７、３８、３９及び４０のいずれかにより測定される部位においても、同様に判定することができる。脳の部位は、チャンネル５、７、８、９、１４、１５、１６、１９、２５、２８、２９、３８及び３９のいずれかにより測定される部位であることが好ましい。
【００５４】
（のど越し）
本実施形態に係る評価方法は、飲食品に付随する情報が飲食品ののど越しに与える影響を評価することができる。
【００５５】
前運動野、中側頭回、上側頭回及び下前頭回弁蓋部からなる群から選ばれる１つ以上の領野に含まれる部位において、第一脳血流変化量と第二脳血流変化量との差分が検出された場合、提示された情報は飲食品ののど越しに影響を与えると判定することができる。脳の部位は、上記領野の複数にまたがって含まれる部位であってもよい。
【００５６】
より詳細には、上記領野のいずれかに含まれる部位において、第二脳血流変化量が第一脳血流変化量より高い場合には、提示された情報が飲食品ののど越しに正の影響を与えると判定することができる。ここでいう正の影響を与えるとは、よりのど越しが強いと感じさせることをいう。また、図１に示す配置のチャンネル１、２０、２３、２４、３０、３１、３２、３４、４０、４１、４２、４３、４４、４５、４７、５０、５１及び５２のいずれかにより測定される部位においても、同様に判定することができる。脳の部位は、チャンネル１、２３、２４、３０、３１、３２、４０、４１、４３、４４、４７、５１及び５２のいずれかにより測定される部位であることが好ましい。
【００５７】
一方、図１に示す配置のチャンネル５、６、８、１４、１５、１６、１７、１８、２５、２６、２７、２８、２９、３５、３６、３７、３８、３９及び４９のいずれかにより測定される部位において、第二脳血流変化量が第一脳血流変化量より高い場合には、提示された情報が飲食品ののど越しに負の影響を与えると判定することができる。ここでいう負の影響を与えるとは、よりのど越しが弱いと感じさせることをいう。上記部位は、チャンネル６、８、１４、１５、１６、１８、２５、２６、２７、２８、３５、３６、３７、３８、３９及び４９のいずれかにより測定される部位であることが好ましい。
【００５８】
（嗜好性）
本実施形態に係る評価方法は、飲食品に付随する情報が飲食品の嗜好性に与える影響を評価することができる。ここでいう嗜好性とは、より好ましいと感じるか、好ましくないと感じるかを意味する。
【００５９】
前運動野、前頭極、眼窩前頭野及び下前頭回弁蓋部からなる群から選ばれる１つ以上の領野に含まれる部位において、第一脳血流変化量と第二脳血流変化量との差分が検出された場合、提示された情報は飲食品の嗜好性に影響を与えると判定することができる。脳の部位は、上記領野の複数にまたがって含まれる部位であってもよい。
【００６０】
より詳細には、前運動野及び下前頭回弁蓋部のいずれかに含まれる部位において、第二脳血流変化量が第一脳血流変化量より高い場合には、提示された情報が飲食品の嗜好性に正の影響を与えると判定することができる。ここでいう正の影響を与えるとは、より好ましく感じさせることをいう。また、図１に示す配置のチャンネル１、２０、２３、２４、３１、３４及び４１のいずれかにより測定される部位においても、同様に判定することができる。脳の部位は、チャンネル２３又は３１により測定される部位であることが好ましい。
【００６１】
一方、前頭極及び眼窩前頭野のいずれかに含まれる部位において、第二脳血流変化量が第一脳血流変化量より高い場合には、提示された情報が飲食品の嗜好性に負の影響を与えると判定することができる。ここでいう負の影響を与えるとは、より好ましくないと感じさせることをいう。また、図１に示す配置のチャンネル３、４、５、６、１４、１５、１６、１７、２５、２６、２７、２８、２９、３５、３６、３７、３８、３９、４５、４６、４８、４９及び５０のいずれかにより測定される部位においても、同様に判定することができる。脳の部位は、チャンネル４、５、６、１４、１５、１６、１７、２５、２６、２７、２８、３５、３６、３７、３８、３９、４５、４６及び４９のいずれかにより測定される部位であることが好ましい。
【実施例】
【００６２】
以下、実施例により本発明の実施形態を具体的に説明する。本発明は以下の実施例に限定されるものではない。
【００６３】
［実験例１］
試料を摂取するときに感じる種々の知覚及び嗜好性と脳血流変化量との相関を確認した。
【００６４】
下記の各実験例において、脳血流変化量は近赤外分光分析法によって測定した。計測には、ｆＮＩＲＳ計測装置ＬＡＢＮＩＲＳ（島津製作所社製）を用いた。図１に示すとおりにチャンネルの配置及び番号付けを行った。チャンネルを一定の位置に配置するため、国際１０−２０法規格に基づいて頭部を計測し、図１に示すチャンネル４７とチャンネル４８の中央を被験者頭部のＦｐｚとし、ＦｐｚからＣｚに向かう正中線上にチャンネル３７、チャンネル１６が位置するようにチャンネルを配置した。各チャンネル間に設置するプローブを横一列に３ｃｍ間隔で配置し、上下に隣り合う列を３ｃｍ間隔で配置した。横及び上下にそれぞれ隣り合うプローブは送光プローブと受光プローブとが交互となるように配置した。各チャンネル番号が属する脳の領野名は表１のとおりである。
【００６５】
評価用試料として、市販のビール２種（試料Ａ、試料Ｃ）、及びビールテイストである「その他の醸造酒（発泡性）（１）」１種（試料Ｂ）の計３種を用いた。被験者には、試料に関する一切の情報は伏せたままとし、各試料をプラスチックカップに分注した状態で提供した。
【００６６】
各被験者に上記試料各２０ｍｌを一気に飲用させ、各試料を摂取する直前（摂取開始後０秒）を基準（０）としたときの、摂取後８−１８秒後、及び１８−３３秒後の脳血流変化量をそれぞれ測定した。被験者は計３０名とし、各被験者は同一試料につき測定を２回ずつ行った。
【００６７】
被験者には、各試料を摂取する度にアンケートによる評価を併せて行った。質問内容は、摂取した試料について、「リフレッシュすると感じたか・爽快感を感じたか」（覚醒感）、「味が濃いと感じたか」（味の濃さ）、「のど越しを感じたか」（のど越し）及び「好きか」（嗜好性）とした。各評価は視覚的評価スケール（ＶＡＳ）法により行い、各質問項目について全く感じない場合を０、これ以上ないくらい強く感じる場合を１００とし、各試料につき被験者自身が点数で評価した。
【００６８】
各分析期間（試料摂取後８−１８秒後、及び１８−３３秒後）の、各チャンネルにおける脳血流変化量の面積値を算出した。そして、各分析期間の脳血流変化量の平均値と、アンケートによる評価結果との相関性をＰｅａｒｓｏｎの積率相関分析により調べた（素点評価）。また、同じ測定結果を用いて、脳血流変化量の標準化を行った。具体的には、各被験者の各分析期間について、全ての試料での平均値を０とし、分散を１として換算し、標準化した値を得た。そして、素点の場合と同様に、アンケートによる評価結果との相関性をＰｅａｒｓｏｎの積率相関分析により調べた。
【００６９】
（覚醒感評価結果）
覚醒感アンケート結果と脳血流変化量との相関関係が見られたチャンネルを図２、３に示す。図２（ａ）では、分析期間８−１８秒における、図２（ｂ）では、分析期間１８−３３秒における、覚醒感アンケート結果と脳血流変化量（標準化）との間に正又は負の相関が見られたチャンネル（ｐ値が０．１未満、又は０．１超０．２未満であるチャンネル）が強調されている。ここでいう正の相関とは、覚醒感が強く感じられるほど、より脳血流変化量が高いこと、及び、覚醒感が弱く感じられるほど、より脳血流変化量が低いことを意味する。また、負の相関とは、覚醒感が弱く感じられるほど、より脳血流変化量が高いこと、及び、覚醒感が強く感じられるほど、より脳血流変化量が低いことを意味する。
【００７０】
また、脳血流変化量として素点を用いた場合の、覚醒感アンケート結果と脳血流変化量との相関関係が見られたチャンネルを図３に示す。図３（ａ）では分析期間８−１８秒における、図３（ｂ）では分析期間１８−３３秒における、覚醒感アンケート結果と脳血流変化量（素点）との間に正又は負の相関が見られたチャンネルが強調されている。
【００７１】
上記の結果から、図２（ａ）、図２（ｂ）、図３（ａ）及び図３（ｂ）中に示す、正の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が被験飲食品を摂取した際に対照飲食品よりも覚醒感を強く感じた可能性が高く、ｐ値が０．１未満であるチャンネルにおいて当該脳血流変化量が高いときには上記の可能性が更に高い。したがって、これらのチャンネルにおいて、被験飲食品摂取前後の脳血流変化量が対照飲食品に対して高いとき、当該被験者が被験飲食品を摂取した際に対照飲食品よりも覚醒感を強く感じたと判定することができる。
【００７２】
逆に、図２（ａ）、図２（ｂ）、図３（ａ）及び図３（ｂ）中に示す、負の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が被験飲食品を摂取した際に対照飲食品よりも覚醒感を弱く感じた可能性が高く、ｐ値が０．１未満であるチャンネルにおいて当該脳血流変化量が高いときには上記可能性が更に高い。したがって、これらのチャンネルにおいて、被験飲食品摂取前後の脳血流変化量が対照飲食品に対して高いとき、当該被験者が被験飲食品を摂取した際に対照飲食品よりも覚醒感を弱く感じたと判定することができる。
【００７３】
（味の濃さ評価結果）
味の濃さアンケート結果と脳血流変化量との相関関係が見られたチャンネルを図４、５に示す。図４（ａ）では、分析期間８−１８秒における、図４（ｂ）では、分析期間１８−３３秒における、味の濃さアンケート結果と脳血流変化量（標準化）との間に正又は負の相関が見られたチャンネルが強調されている。ここでいう正の相関とは、より味が濃いと感じられるほどより脳血流変化量が高いこと、及び、より味が薄いと感じられるほどより脳血流変化量が低いことを意味する。また、負の相関とは、より味が薄いと感じられるほど、より脳血流変化量が高いこと、及び、より味が濃いと感じられるほど、より脳血流量が低いことを意味する。
【００７４】
また、脳血流変化量として素点を用いた場合の、味の濃さアンケート結果と脳血流変化量との相関関係が見られたチャンネルを図５に示す。図５（ａ）では分析期間８−１８秒における、図５（ｂ）では分析期間１８−３３秒における、味の濃さアンケート結果と脳血流変化量との間に正又は負の相関が見られたチャンネルが強調されている。
【００７５】
上記の結果から、図４（ａ）、図４（ｂ）、図５（ａ）及び図５（ｂ）中に示す、正の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が対照飲食品よりも被験飲食品に対して味が濃いと感じた可能性が高く、ｐ値が０．１未満であるチャンネルにおいて当該脳血流変化量が高いときには上記可能性が更に高い。したがって、これらのチャンネルにおいて、被験飲食品摂取前後の脳血流変化量が対照飲食品に対して高いとき、当該被験者が被験飲食品を対照飲食品よりも味が濃いと感じたと判定することができる。
【００７６】
逆に、図４（ａ）、図４（ｂ）、図５（ａ）及び図５（ｂ）中に示す、負の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が対照飲食品よりも当該飲食品に対して味が薄いと感じた可能性が高く、ｐ値が０．１未満であるチャンネルにおいて当該脳血流変化量が高いときには上記の可能性が更に高い。したがって、これらのチャンネルにおいて、被験飲食品摂取前後の脳血流変化量が対照飲食品に対して高いとき、当該被験者が被験飲食品を対照飲食品よりも味が薄いと感じたと判定することができる。
【００７７】
（のど越し評価結果）
のど越しアンケート結果と脳血流変化量との相関関係が見られたチャンネルを図６、７に示す。図６（ａ）では、分析期間８−１８秒における、図６（ｂ）では、分析期間１８−３３秒における、のど越しアンケート結果と脳血流変化量（標準化）との間に正又は負の相関が見られたチャンネルが強調されている。ここでいう正の相関とは、よりのど越しが強いと感じられるほど、より脳血流変化量が高いこと、及び、よりのど越しが弱いと感じられるほど、より脳血流変化量が低いことを意味する。また、負の相関とは、よりのど越しが弱いと感じられるほど、より脳血流変化量が高いこと、及び、よりのど越しが強いと感じられるほど、より脳血流変化量が低いことを意味する。
【００７８】
また、脳血流変化量として素点を用いた場合の、のど越しアンケート結果と脳血流変化量との相関関係が見られたチャンネルを図７に示す。図７（ａ）では分析期間８−１８秒における、図７（ｂ）では分析期間１８−３３秒における、のど越しアンケート結果と脳血流変化量との間に正又は負の相関が見られたチャンネルが強調されている。
【００７９】
上記の結果から、図６（ａ）、図６（ｂ）、図７（ａ）及び図７（ｂ）中に示す、正の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が対照飲食品よりも被験飲食品に対してのど越しが強いと感じた可能性が高く、ｐ値が０．１未満であるチャンネルにおいて当該脳血流変化量が高いときには上記の可能性が更に高い。したがって、これらのチャンネルにおいて、被験飲食品摂取前後の脳血流変化量が対照飲食品に対して高いとき、当該被験者が被験飲食品を対照飲食品よりものど越しが強いと感じたと判定することができる。
【００８０】
逆に、図６（ａ）、図６（ｂ）、図７（ａ）及び図７（ｂ）中に示す、負の相関としてｐ値が０．１未満又は０．１超０．２未満であるチャンネルのいずれか１つ以上において、被験飲食品を摂取する前後の被験者の脳血流変化量が、対照飲食品の場合よりも高いとき、当該被験者が対照飲食品よりも被験飲食品に対してのど越しが弱いと感じた可能性が高く、ｐ値が０．１未満であるチャンネルにおいて当該脳血流変化量が高いときには上記の可能性が更に高い。したがって、これらのチャンネルにおいて、被験飲食品摂取前後の脳血流変化量が対照飲食品に対して高いとき、当該被験者が被験飲食品を対照飲食品よりものど越しが強いと感じたと判定することができる。
【００８１】
（嗜好性評価結果）
嗜好性評価結果と脳血流変化量との相関関係が見られたチャンネルを図８、９に示す。図８（ａ）では、分析期間８−１８秒における、図８（ｂ）では、分析期間１８−３３秒における、嗜好性アンケート結果と脳血流変化量（標準化）との間に正又は負の相関が見られたチャンネルが強調されている。ここでいう正の相関とは、より好ましいと感じられるほどより脳血流変化量が高いこと、及び、より好ましくないと感じられるほどより脳血流変化量が低いことを意味する。また、負の相関とは、より好ましくないと感じられるほど、より脳血流変化量が高いこと、及び、より好ましいと感じられるほど、より脳血流量が低いことを意味する。
【００８２】
また、脳血流変化量として素点を用いた場合の、嗜好性アンケート結果と脳血流変化量との相関関係が見られたチャンネルを図９に示す。図９（ａ）では分析期間８−１８秒における、図９（ｂ）では分析期間１８−３３秒における、嗜好性アンケート結果と脳血流変化量との間に正又は負の相関が見られたチャンネルが強調されている。
【００８３】
上記の結果から、図８（ａ）、図８（ｂ）、図９（ａ）及び図９（ｂ）中に示す、正の相関としてｐ値が０．１未満又は０．１超０．２未満であるチャンネルのいずれか１つ以上において、被験ビールテイスト飲料を摂取する前後の被験者の脳血流変化量が、対照ビールテイスト飲料の場合よりも高いとき、当該被験者が対照ビールテイスト飲料よりも被験ビールテイスト飲料に対して好ましいと感じた可能性が高く、ｐ値が０．１未満であるチャンネルにおいて当該脳血流変化量が高いときには上記の可能性が更に高い。したがって、これらのチャンネルにおいて、被験ビールテイスト飲料摂取前後の脳血流変化量が対照ビールテイスト飲料に対して高いとき、当該被験者が被験ビールテイスト飲料を対照ビールテイスト飲料よりも好ましいと感じたと判定することができる。
【００８４】
逆に、図８（ａ）、図８（ｂ）、図９（ａ）及び図９（ｂ）中に示す、負の相関としてｐ値が０．１未満又は０．１超０．２未満であるチャンネルのいずれか１つ以上において、被験ビールテイスト飲料を摂取する前後の被験者の脳血流変化量が、対照ビールテイスト飲料の場合よりも高いとき、当該被験者が当該ビールテイスト飲料に対して好ましくないと感じた可能性が高く、ｐ値が０．１未満であるチャンネルにおいて当該脳血流変化量が高いときには上記の可能性が更に高い。したがって、これらのチャンネルにおいて、被験ビールテイスト飲料摂取前後の脳血流変化量が対照ビールテイスト飲料に対して高いとき、当該被験者が被験ビールテイスト飲料を対照ビールテイスト飲料よりも好ましくないと感じたと判定することができる。
【００８５】
［実験例２］
上記実験例１において試料の情報を提示することなく脳血流変化量を測定した後、続けて、実験例１で用いた試料Ａ、Ｂ、Ｃについて、それぞれ市販の製品パッケージ（缶）を被験者に提示し、各被験者に再度同一の試料を同量飲用してもらい、摂取前後の脳血流変化量（第二脳血流変化量）を測定した。製品パッケージは一般に流通しているもので、商品名、ブランド名、企業名等が表示され、それぞれ独特のデザインが施された外観を有している。提示後の摂取及び脳血流量測定は各試料につき２回ずつ行い、平均値を得た。
【００８６】
得られた第二脳血流変化量と、実験例１での脳血流変化量（第一脳血流変化量）について平均値の差をｔ検定により調べ、有意に差分が検出されたチャンネルを特定した。結果を図１０（試料Ａ）、図１１（試料Ｂ）、図１２（試料Ｃ）に示す。分析期間８−１８秒の結果を図１０（ａ）、図１１（ａ）、図１２（ａ）に、分析期間１８−３３秒の結果を図１０（ｂ）、図１１（ｂ）、図１２（ｂ）に示す。
【００８７】
図中、正の差分とは、第二脳血流変化量が第一脳血流変化量よりも高かったことを指し、負の差分とは、第二脳血流変化量が第一脳血流変化量よりも低かったことを指す。各試料について、それぞれ正の差分又は負の差分が見られるチャンネルは異なるパターンを示した。
【００８８】
実験例２で判明した、第二脳血流変化量及び第一脳血流変化量の間に有意差のある脳の部位と、実施例１で判明した各種知覚における脳血流変化量が応答する部位とに基づいて、被験者が各試料についてどのようなイメージを有しているかを予測することができる。例えば、試料Ａでは、パッケージ情報の提示後の脳血流変化量が、提示前と比べてチャンネル１７、２２、３０、３１、３３、４１、４２、５１、５２等において高く、覚醒感と脳血流変化量とに正の相関が見られるチャンネル（図２、３参照）と多く重複していることから、当該情報が覚醒感に正の影響を与えたと判定することができる。また、この結果から、被験者は、試料Ａのパッケージに表示されたブランド等に対し、よりリフレッシュする等のイメージを有していたと考えられる。また、例えば試料Ｃでは、覚醒感と脳血流変化量とに正の相関が見られるチャンネルの多くにおいて、パッケージ情報提示後の脳血流変化量が提示前と比べて低いことから、当該情報が覚醒感に負の影響を与えたと判定することができ、被験者が試料Ｃのパッケージに表示されたブランド等に対し、よりリラックスする等のイメージを有していたと考えられる。
【図１】
2019058716.tif 000004
【図２】
2019058716.tif 000005
【図３】
2019058716.tif 000006
【図４】
2019058716.tif 000007
【図５】
2019058716.tif 000008
【図６】
2019058716.tif 000009
【図７】
2019058716.tif 000010
【図８】
2019058716.tif 000011
【図９】
2019058716.tif 000012
【図１０】
2019058716.tif 000013
【図１１】
2019058716.tif 000014
【図１２】
2019058716.tif 000015